(57)【要約】【課題】生産効率が高い、複数の負荷の駆動制御を行うための駆動制御回路及びそのような駆動制御回路を有するプロジェクタ装置を提供すること。【解決手段】駆動制御回路１００は、第１コネクタ１０６の−端子に流れる電流の電流値と、第２コネクタ１０７の−端子に流れる電流の電流値とを、電圧に変換することによって比較し、第１コネクタ１０６の−端子に流れる電流の電流値が第２コネクタ１０７の−端子に流れる電流の電流値より小さい場合、マイコン１０１の端子Ｔ２にＬレベルの信号を出力し、第１コネクタ１０６の−端子に流れる電流の電流値が第２コネクタ１０７の−端子に流れる電流の電流値より大きい場合、マイコン１０１の端子Ｔ２にＨレベルの信号を出力する比較部１１０を有する。【選択図】図１
2008076437.tif 000002
【特許請求の範囲】
【請求項１】
各々種類の異なる第１及び第２ファンと、該第１及び第２ファンの駆動制御を行うための駆動制御回路とを有するプロジェクタ装置であって、
前記駆動制御回路は、
前記第１及び第２ファン各々を接続する２つのコネクタと、
２つの前記コネクタ各々の第１電極を介して前記第１及び第２ファン各々に対する駆動制御信号を出力する制御部と、
２つの前記コネクタ各々の第２電極に流れる電流の電流値を比較し、該比較結果を示す信号を前記制御部に出力する比較部と、
２つの前記コネクタ各々の第２電極に電流が流れるか否かを検出し、該検出結果を示す信号を前記制御部に出力する検出部とを有し、
前記制御部は、２つの前記コネクタ各々の第１電極を介して前記第１及び第２ファン各々に対して略等しい電圧を印加した際の前記比較部からの比較結果を示す信号と；前記第１及び第２ファン各々の電流電圧特性と；に基づいて、前記第１及び第２ファン各々が２つの前記コネクタのいずれに接続されているかを判別し、該判別結果に応じて２つの前記コネクタ各々の第１電極に出力する駆動制御信号を決定することを特徴とするプロジェクタ装置。
【請求項２】
複数の負荷各々を接続する複数のコネクタと；複数の前記コネクタ各々の第１電極を介して複数の前記負荷各々に対する駆動制御信号を出力する制御部と；を有する駆動制御回路であって、
複数の前記コネクタ各々の第２電極に流れる電流の電流値を比較し、該比較結果を示す信号を前記制御部に出力する比較部を有することを特徴とする駆動制御回路。
【請求項３】
前記制御部は、複数の前記コネクタ各々の第１電極を介して複数の前記負荷各々に対して略等しい電圧を印加した際の前記比較部からの比較結果を示す信号と；複数の前記負荷各々の電流電圧特性と；に基づいて、複数の前記負荷各々が複数の前記コネクタのいずれに接続されているかを判別し、該判別結果に応じて複数の前記コネクタ各々の第１電極に出力する駆動制御信号を決定することを特徴とする請求項２に記載の駆動制御回路。
【請求項４】
複数の前記コネクタ各々の第２電極に電流が流れるか否かを検出し、該検出結果を示す信号を前記制御部に出力する検出部を有することを特徴とする請求項２又は３に記載の駆動制御回路。
【請求項５】
請求項２から４のいずれかに記載の駆動制御回路を有し、
前記負荷はファンであることを特徴とするプロジェクタ装置。
【発明の詳細な説明】
【技術分野】
【０００１】
本発明は、複数のファンの駆動制御を行うための駆動制御回路に代表される、複数の負荷の駆動制御を行うための駆動制御回路に関する。また、本発明は、そのような駆動制御回路を有するプロジェクタ装置に関する。
【背景技術】
【０００２】
プロジェクタ装置は、光源となるランプ、偏光ビームスプリッタ、偏光板、液晶パネルなどによって構成される光学系を有しており、該光学系からの発熱が問題となる。そのため、通常のプロジェクタ装置は、この発熱に対処するために、装置内部の空気を流動させることによって光学系全体を冷却するファンと、該ファンの駆動制御を行うための駆動制御回路とを有している。
【０００３】
また、近年においては、十分な冷却効果の確保、冷却効率の向上、騒音低下などを目的として、複数のファンと、複数の該ファンの駆動制御を行うための駆動制御回路とを有するプロジェクタ装置が普及している。図４に、従来のプロジェクタ装置が有する、複数のファンの駆動制御を行うための駆動制御回路の一例を示す。
【０００４】
図４は、駆動制御回路９００の概略の構成を示すブロック図である。駆動制御回路９００は、マイコン９０１と、第１ＰＷＭ変換部９０２と、第２ＰＷＭ変換部９０３と、第１ドライバ９０４と、第２ドライバ９０５と、第１コネクタ９０６と、第２コネクタ９０７と、第１検出部９０８と、第２検出部９０９とを有している。ここで、第１コネクタ９０６は第１ファン９１０を接続するコネクタであり、第２コネクタ９０７は第２ファン９１１を接続するコネクタである。
【０００５】
マイコン９０１は、第１ＰＷＭ変換部９０２と、第２ＰＷＭ変換部９０３とに接続され、第１ＰＷＭ変換部９０２は第１ドライバ９０４に、第２ＰＷＭ変換部９０３は第２ドライバ９０５に、各々接続されている。第１ドライバ９０４は第１コネクタ９０６の＋端子に、第２ドライバ９０５は第２コネクタ９０７の＋端子に、各々接続されている。また、第１コネクタ９０６の−端子には第１検出部９０８が、第２コネクタ９０７の−端子には第２検出部９０９が、各々接続されている。そして、第１検出部９０８と、第２検出部９０９とは、マイコン９０１の端子Ｔ９１に接続されている。
【０００６】
このような構成の駆動制御回路９００において、マイコン９０１は、第１ＰＷＭ変換部９０２に第１ファン９１０の駆動制御を行うための制御信号Ｓ１を、第２ＰＷＭ変換部９０３に第２ファン９１１の駆動制御を行うための制御信号Ｓ２を、各々出力する。そして、第１ＰＷＭ変換部９０２は、制御信号Ｓ１にＰＷＭ変換を施した上で、得られた信号を第１ドライバ９０４に出力する。また、第２ＰＷＭ変換部９０３は、制御信号Ｓ２にＰＷＭ変換を施した上で、得られた信号を第２ドライバ９０５に出力する。
【０００７】
第１ドライバ９０４は、第１ＰＷＭ変換部９０２からの信号に基づいて、第１コネクタ９０６の＋端子を介して第１ファン９１０に対する駆動制御信号を出力する。また、第２ドライバ９０５は、第２ＰＷＭ変換部９０３からの信号に基づいて、第２コネクタ９０７の＋端子を介して第２ファン９１１に対する駆動制御信号を出力する。
【０００８】
第１検出部９０８は、非反転入力端子が第１コネクタ９０６の−端子に接続され、反転入力端子に基準電圧が印加され、出力端子がマイコン９０１の端子Ｔ９１に接続されたオペアンプ９１２と；一端が第１コネクタ９０６の−端子に接続され、他端が接地点に接続された抵抗Ｒ９１と；を有する。また、第２検出部９０９は、非反転入力端子が第２コネクタ９０７の−端子に接続され、反転入力端子に基準電圧が印加され、出力端子がマイコン９０１の端子Ｔ９１に接続されたオペアンプ９１３と；一端が第２コネクタ９０７の−端子に接続され、他端が接地点に接続された抵抗Ｒ９２と；を有する。
【０００９】
このとき、第１ファン９１０が第１コネクタ９０６に接続されていないか、あるいは第１ドライバ９０４から第１ファン９１０に対する駆動制御信号が出力されていない場合には、第１コネクタ９０６の−端子に電流が流れないため、オペアンプ９１２の出力端子からＬレベルの信号が出力される。また、第１ファン９１０が第１コネクタ９０６に接続されて、第１ドライバ９０４から第１ファン９１０に対する駆動制御信号が出力されている場合には、第１コネクタ９０６の−端子に電流が流れるため、オペアンプ９１２の出力端子からＨレベルの信号が出力される。
【００１０】
同様に、第２ファン９１１が第２コネクタ９０７に接続されていないか、あるいは第２ドライバ９０５から第２ファン９１１に対する駆動制御信号が出力されていない場合には、第２コネクタ９０７の−端子に電流が流れないため、オペアンプ９１３の出力端子からＬレベルの信号が出力される。また、第２ファン９１１が第２コネクタ９０７に接続されて、第２ドライバ９０５から第２ファン９１１に対する駆動制御信号が出力されている場合には、第２コネクタ９０７の−端子に電流が流れるため、オペアンプ９１３の出力端子からＨレベルの信号が出力される。
【００１１】
そのため、マイコン９０１は、端子Ｔ９１に入力される信号がＬレベルの信号である場合には、第１ファン９１０が第１コネクタ９０６に接続されていないか、第１ドライバ９０４から第１ファン９１０に対する駆動制御信号が出力されていないか、第２ファン９１１が第２コネクタ９０７に接続されていないか、第２ドライバ９０５から第２ファン９１１に対する駆動制御信号が出力されていないかのうちの、いずれか１つ以上の条件が成り立っている状態であることを検出することができる。
【００１２】
また、マイコン９０１は、端子Ｔ９１に入力される信号がＨレベルの信号である場合には、第１ファン９１０が第１コネクタ９０６に接続されて、第１ドライバ９０４から第１ファン９１０に対する駆動制御信号が出力されている状態であり、かつ、第２ファン９１１が第２コネクタ９０７に接続されて、第２ドライバ９０５から第２ファン９１１に対する駆動制御信号が出力されている状態であることを検出することができる。
【００１３】
このように構成された駆動制御回路９００においては、マイコン９０１は、第１ＰＷＭ変換部９０２に第１ファン９１０の駆動制御を行うための制御信号Ｓ１を、第２ＰＷＭ変換部９０３に第２ファン９１１の駆動制御を行うための制御信号Ｓ２を、各々出力する。そのため、第１ファン９１０と、第２ファン９１１との駆動制御方法が異なる場合、誤って第１ファン９１０を第２コネクタ９０７に接続し、第２ファン９１１を第１コネクタ９０６に接続すると、第１ファン９１０と、第２ファン９１１との正しい駆動制御を行うことが不可能となる。
【００１４】
そのため、駆動制御回路９００においては、第１コネクタ９０６と、第２コネクタ９０７との形状を異なるものとすることによって、誤って第１ファン９１０を第２コネクタ９０７に接続し、第２ファン９１１を第１コネクタ９０６に接続することを防止している。
【００１５】
また、誤接続からの保護を行うものとして、全波整流による電圧から倍電圧整流による電圧を出力することが可能な電源回路を使用する空気調和機に備えられ、室内ユニットと室外ユニットとの定格電源電圧値が同一であることを認識するまでは、電源回路からの出力電圧を全波整流による電圧とすることで、定格電源電圧値の違いによる誤接続から部品を保護する制御装置が提案されている（特許文献１参照）。
【特許文献１】特開２００５−０７６９９３
【発明の開示】
【発明が解決しようとする課題】
【００１６】
しかしながら、図４に記載の駆動制御回路９００の生産にあたっては、第１コネクタ９０６と、第２コネクタ９０７との形状を異なるものとする必要があることから、第１コネクタ９０６を製造する工程と、第２コネクタ９０７を製造する工程とを別々に設ける必要があり、生産効率の低下につながるという問題がある。
【００１７】
また、図４に記載の駆動制御回路９００を有するプロジェクタ装置を手動で組み立てる場合、第１コネクタ９０６と、第２コネクタ９０７との形状が異なることから、１つ目のファンを取り付けるときに、２つのコネクタのうちの取り付けやすい方に取り付けることはできず、生産効率の低下につながるという問題がある。
【００１８】
特許文献１に記載の制御装置は、定格電源電圧値の違いによる誤接続を検出することができるのみであるので、これを図４に記載の駆動制御回路９００に適用したとしても、第１コネクタ９０６と、第２コネクタ９０７との形状を異なるものとする必要があり、また、１つ目のファンを取り付けるときに、２つのコネクタのうちの取り付けやすい方に取り付けることはできないことに変わりはなく、生産効率の向上は望めない。
【００１９】
上記の問題を鑑みて、本発明においては、生産効率が高い、複数の負荷の駆動制御を行うための駆動制御回路を提供することを目的とする。また、本発明の他の目的は、そのような駆動制御回路を有するプロジェクタ装置を提供することである。
【課題を解決するための手段】
【００２０】
本発明においては、プロジェクタ装置は、各々種類の異なる第１及び第２ファンと、該第１及び第２ファンの駆動制御を行うための駆動制御回路とを有するプロジェクタ装置であって、前記駆動制御回路は、前記第１及び第２ファン各々を接続する２つのコネクタと、２つの前記コネクタ各々の第１電極を介して前記第１及び第２ファン各々に対する駆動制御信号を出力する制御部と、２つの前記コネクタ各々の第２電極に流れる電流の電流値を比較し、該比較結果を示す信号を前記制御部に出力する比較部と、２つの前記コネクタ各々の第２電極に電流が流れるか否かを検出し、該検出結果を示す信号を前記制御部に出力する検出部とを有し、前記制御部は、２つの前記コネクタ各々の第１電極を介して前記第１及び第２ファン各々に対して略等しい電圧を印加した際の前記比較部からの比較結果を示す信号と；前記第１及び第２ファン各々の電流電圧特性と；に基づいて、前記第１及び第２ファン各々が２つの前記コネクタのいずれに接続されているかを判別し、該判別結果に応じて２つの前記コネクタ各々の第１電極に出力する駆動制御信号を決定することを特徴とする。
【００２１】
本発明においては、駆動制御回路は、複数の負荷各々を接続する複数のコネクタと；複数の前記コネクタ各々の第１電極を介して複数の前記負荷各々に対する駆動制御信号を出力する制御部と；を有する駆動制御回路であって、複数の前記コネクタ各々の第２電極に流れる電流の電流値を比較し、該比較結果を示す信号を前記制御部に出力する比較部を有することを特徴とする。
【００２２】
本発明においては、上記構成の駆動制御回路において、前記制御部は、複数の前記コネクタ各々の第１電極を介して複数の前記負荷各々に対して略等しい電圧を印加した際の前記比較部からの比較結果を示す信号と；複数の前記負荷各々の電流電圧特性と；に基づいて、複数の前記負荷各々が複数の前記コネクタのいずれに接続されているかを判別し、該判別結果に応じて複数の前記コネクタ各々の第１電極に出力する駆動制御信号を決定することが望ましい。
【００２３】
本発明においては、上記構成の駆動制御回路において、複数の前記コネクタ各々の第２電極に電流が流れるか否かを検出し、該検出結果を示す信号を前記制御部に出力する検出部を有することとしてもよい。
【００２４】
本発明においては、プロジェクタ装置は、上記構成の駆動制御回路を有し、前記負荷はファンであることを特徴とする。
【発明の効果】
【００２５】
本発明によると、駆動制御方法が異なる複数の負荷各々を複数のコネクタのいずれに接続した場合でも、各負荷の正しい駆動制御を行うことができる駆動制御回路が提供される。したがって、複数のコネクタの形状を異なるものとする必要がなくなる。その結果、複数のコネクタ各々を製造する工程を別々に設ける必要がなく、また、ある負荷を手動で取り付けるときに、まだ負荷が取り付けられていないコネクタのうちの取り付けやすいコネクタに取り付けることができるので、生産効率が向上する。
【発明を実施するための最良の形態】
【００２６】
本発明の実施形態について、図面を用いて説明すれば以下の通りである。
【００２７】
図１は、本発明の実施形態に係る駆動制御回路１００の概略の構成を示すブロック図である。駆動制御回路１００は、マイコン１０１と、第１ＰＷＭ変換部１０２と、第２ＰＷＭ変換部１０３と、第１ドライバ１０４と、第２ドライバ１０５と、第１コネクタ１０６と、第２コネクタ１０７と、第１検出部１０８と、第２検出部１０９と、比較部１１０とを有している。ここで、第１コネクタ１０６と、第２コネクタ１０７とのうちの一方は第１ファン１１１（負荷）を接続するコネクタであり、他方は第２ファン１１２（負荷）を接続するコネクタである。
【００２８】
図１においては、第１コネクタ１０６に第１ファン１１１を、第２コネクタ１０７に第２ファン１１２を、各々接続しているが、第１コネクタ１０６に第２ファン１１２を、第２コネクタ１０７に第１ファン１１１を、各々接続することも可能である。なお、この詳細については後述する。
【００２９】
マイコン１０１は、第１ＰＷＭ変換部１０２と、第２ＰＷＭ変換部１０３とに接続され、第１ＰＷＭ変換部１０２は第１ドライバ１０４に、第２ＰＷＭ変換部１０３は第２ドライバ１０５に、各々接続されている。第１ドライバ１０４は第１コネクタ１０６の＋端子に、第２ドライバ１０５は第２コネクタ１０７の＋端子に、各々接続されている。また、第１コネクタ１０６の−端子には第１検出部１０８と、比較部１１０とが、第２コネクタ１０７の−端子には第２検出部１０９と、比較部１１０とが、各々接続されている。そして、第１検出部１０８と、第２検出部１０９とは、マイコン１０１の端子Ｔ１に接続され、比較部１１０はマイコン１０１の端子Ｔ２に接続されている。
【００３０】
このような構成の駆動制御回路１００において、マイコン１０１は、第１ＰＷＭ変換部１０２に、第１コネクタ１０６に接続されているファンの駆動制御を行うための制御信号Ｓ１を、第２ＰＷＭ変換部１０３に、第２コネクタ１０７に接続されているファンの駆動制御を行うための制御信号Ｓ２を、各々出力する。そして、第１ＰＷＭ変換部１０２は、制御信号Ｓ１にＰＷＭ変換を施した上で、得られた信号を第１ドライバ１０４に出力する。また、第２ＰＷＭ変換部１０３は、制御信号Ｓ２にＰＷＭ変換を施した上で、得られた信号を第２ドライバ１０５に出力する。
【００３１】
第１ドライバ１０４は、第１ＰＷＭ変換部１０２からの信号に基づいて、第１コネクタ１０６の＋端子を介して、第１コネクタ１０６に接続されているファンに対する駆動制御信号を出力する。また、第２ドライバ１０５は、第２ＰＷＭ変換部１０３からの信号に基づいて、第２コネクタ１０７の＋端子を介して、第２コネクタ１０７に接続されているファンに対する駆動制御信号を出力する。
【００３２】
つまり、マイコン１０１と、第１ＰＷＭ変換部１０２と、第２ＰＷＭ変換部１０３と、第１ドライバ１０４と、第２ドライバ１０５とによって、第１コネクタ１０６の＋端子を介して、第１コネクタ１０６に接続されているファンに対する駆動制御信号を出力し、第２コネクタ１０７の＋端子を介して、第２コネクタ１０７に接続されているファンに対する駆動制御信号を出力する制御部を構成している。
【００３３】
第１検出部１０８は、非反転入力端子が第１コネクタ１０６の−端子に接続され、反転入力端子に基準電圧が印加され、出力端子がマイコン１０１の端子Ｔ１に接続されたオペアンプ１１３と；一端が第１コネクタ１０６の−端子に接続され、他端が接地点に接続された抵抗Ｒ１と；を有する。また、第２検出部１０９は、非反転入力端子が第２コネクタ１０７の−端子に接続され、反転入力端子に基準電圧が印加され、出力端子がマイコン１０１の端子Ｔ１に接続されたオペアンプ１１４と；一端が第２コネクタ１０７の−端子に接続され、他端が接地点に接続された抵抗Ｒ２と；を有する。ここで、抵抗Ｒ１の抵抗値と抵抗Ｒ２の抵抗値とは略等しいとする。
【００３４】
このとき、第１コネクタ１０６にファンが接続されていないか、あるいは第１ドライバ１０４から第１コネクタ１０６に接続されているファンに対する駆動制御信号が出力されていない場合には、第１コネクタ１０６の−端子に電流が流れないため、オペアンプ１１３の出力端子からＬレベルの信号が出力される。また、第１コネクタ１０６にファンが接続されて、第１ドライバ１０４から第１コネクタ１０６に接続されているファンに対する駆動制御信号が出力されている場合には、第１コネクタ１０６の−端子に電流が流れるため、オペアンプ１１３の出力端子からＨレベルの信号が出力される。
【００３５】
同様に、第２コネクタ１０７にファンが接続されていないか、あるいは第２ドライバ１０５から第２コネクタ１０７に接続されているファンに対する駆動制御信号が出力されていない場合には、第２コネクタ１０７の−端子に電流が流れないため、オペアンプ１１４の出力端子からＬレベルの信号が出力される。また、第２コネクタ１０７にファンが接続されて、第２ドライバ１０５から第２コネクタ１０７に接続されているファンに対する駆動制御信号が出力されている場合には、第２コネクタ１０７の−端子に電流が流れるため、オペアンプ１１４の出力端子からＨレベルの信号が出力される。
【００３６】
そのため、マイコン１０１は、端子Ｔ１に入力される信号がＬレベルの信号である場合には、第１コネクタ１０６にファンが接続されていないか、第１ドライバ１０４から第１コネクタ１０６に接続されているファンに対する駆動制御信号が出力されていないか、第２コネクタ１０７にファンが接続されていないか、第２ドライバ１０５から第２コネクタ１０７に接続されているファンに対する駆動制御信号が出力されていないかのうちの、いずれか１つ以上の条件が成り立っている状態であることを検出することができる。
【００３７】
また、マイコン１０１は、端子Ｔ１に入力される信号がＨレベルの信号である場合には、第１コネクタ１０６にファンが接続されて、第１ドライバ１０４から第１コネクタ１０６に接続されているファンに対する駆動制御信号が出力されている状態であり、かつ、第２コネクタ１０７にファンが接続されて、第２ドライバ１０５から第２コネクタ１０７に接続されているファンに対する駆動制御信号が出力されている状態であることを検出することができる。
【００３８】
比較部１１０は、一端が第１コネクタ１０６の−端子に接続された抵抗Ｒ３と；非反転入力端子が抵抗Ｒ３の他端に接続され、反転入力端子が第２コネクタ１０７の−端子に接続され、出力端子がマイコン１０１の端子Ｔ２に接続されたオペアンプ１１５と；オペアンプ１１５の非反転入力端子と、出力端子との間に接続された抵抗Ｒ４と；一端がオペアンプ１１５の出力端子に接続されるとともに、他端が直流電源ＶＤＤに接続された抵抗Ｒ５と；を有する。
【００３９】
このとき、比較部１１０は、第１コネクタ１０６の−端子に流れる電流の電流値と、第２コネクタ１０７の−端子に流れる電流の電流値とを、電圧に変換することによって比較し、第１コネクタ１０６の−端子に流れる電流の電流値が第２コネクタ１０７の−端子に流れる電流の電流値より小さい場合、マイコン１０１の端子Ｔ２にＬレベルの信号を出力する。また、第１コネクタ１０６の−端子に流れる電流の電流値が第２コネクタ１０７の−端子に流れる電流の電流値より大きい場合、比較部１１０は、マイコン１０１の端子Ｔ２にＨレベルの信号を出力する。
【００４０】
ここで、複数のファンを有するプロジェクタ装置においては、複数の該ファンの電流電圧特性は異なっている場合が多い。図２は、８０角ファンとブロアファンとを有する従来のプロジェクタ装置における、各ファンの電流電圧特性を示すグラフである。
【００４１】
第１ファン１１１及び第２ファン１１２のうちの一方が図２に示す電流電圧特性を有するブロアファンであり、他方が図２に示す電流電圧特性を有する８０角ファンである場合、図２より明らかな通り、第１ドライバ１０４から第１コネクタ１０６の＋端子を介して、第１コネクタ１０６に接続されているファンに印加される電圧と；第２ドライバ１０５から第２コネクタ１０７の＋端子を介して、第２コネクタ１０７に接続されているファンに印加される電圧と；を略等しい電圧とすると、ブロアファンに流れる電流の電流値は８０角ファンに流れる電流の電流値に比べて小さくなる。
【００４２】
例えば、第１ドライバ１０４から第１コネクタ１０６の＋端子を介して、第１コネクタ１０６に接続されているファンに印加される電圧と；第２ドライバ１０５から第２コネクタ１０７の＋端子を介して、第２コネクタ１０７に接続されているファンに印加される電圧と；を共に１０Ｖとすると、図２より、ブロアファンに流れる電流は０．１６Ａとなり、８０角ファンに流れる電流は０．２１Ａとなる。
【００４３】
そのため、ブロアファンが第１コネクタ１０６に、８０角ファンが第２コネクタ１０７に、各々接続されている場合には、マイコン１０１の端子Ｔ２に入力される信号はＬレベルの信号となる。また、逆に、ブロアファンが第２コネクタ１０７に、８０角ファンが第１コネクタ１０６に、各々接続されている場合には、マイコン１０１の端子Ｔ２に入力される信号はＨレベルの信号となる。
【００４４】
したがって、マイコン１０１は、端子Ｔ２に入力された信号がＬレベルの信号である場合、第１コネクタ１０６に接続されているファンはブロアファンであり、第２コネクタ１０７に接続されているファンは８０角ファンであると判別できることとなる。また、マイコン１０１は、端子Ｔ２に入力された信号がＨレベルの信号である場合、第１コネクタ１０６に接続されているファンは８０角ファンであり、第２コネクタ１０７に接続されているファンはブロアファンであると判別できることとなる。
【００４５】
そのため、マイコン１０１は、端子Ｔ２に入力された信号がＬレベルの信号である場合、制御信号Ｓ１をブロアファンの駆動制御を行うための制御信号とし、制御信号Ｓ２を８０角ファンの駆動制御を行うための制御信号とすればよい。また、端子Ｔ２に入力された信号がＨレベルの信号である場合、マイコン１０１は、制御信号Ｓ１を８０角ファンの駆動制御を行うための制御信号とし、制御信号Ｓ２をブロアファンの駆動制御を行うための制御信号とすればよい。
【００４６】
以上のマイコン１０１によるファン判別時の制御手順について、以下で詳細に説明する。図３は、マイコン１０１によるファン判別時の制御手順を示すフローチャートである。マイコン１０１は、プロジェクタ装置の電源が入力されると（Ｓ１）、第１ドライバ１０４から第１コネクタ１０６の＋端子を介して、第１コネクタ１０６に接続されているファンに印加される電圧と；第２ドライバ１０５から第２コネクタ１０７の＋端子を介して、第２コネクタ１０７に接続されているファンに印加される電圧と；が略等しい電圧となるように、制御信号Ｓ１及び制御信号Ｓ２を出力する（Ｓ２）。
【００４７】
そして、マイコン１０１は、まず、端子Ｔ１に入力される信号を検出する（Ｓ３）。ここで、端子Ｔ１に入力される信号がＬレベルの信号である場合、第１コネクタ１０６と、第２コネクタ１０７とのうちの一方あるいは両方にファンが接続されていないので、プロジェクタ装置の動作を停止する（Ｓ４）。
【００４８】
Ｓ３において、端子Ｔ１に入力される信号がＨレベルの信号である場合、マイコン１０１は、次に、端子Ｔ２に入力される信号を検出する（Ｓ５）。ここで、端子Ｔ２に入力される信号がＬレベルの信号である場合、第１コネクタ１０６に接続されているファンはブロアファンであり、第２コネクタ１０７に接続されているファンは８０角ファンであるので、マイコン１０１は、制御信号Ｓ１をブロアファンの駆動制御を行うための制御信号とし、制御信号Ｓ２を８０角ファンの駆動制御を行うための制御信号とする（Ｓ６）。
【００４９】
一方、Ｓ５において、端子Ｔ２に入力される信号がＨレベルの信号である場合、第１コネクタ１０６に接続されているファンは８０角ファンであり、第２コネクタ１０７に接続されているファンはブロアファンであるので、マイコン１０１は、制御信号Ｓ１を８０角ファンの駆動制御を行うための制御信号とし、制御信号Ｓ２をブロアファンの駆動制御を行うための制御信号とする（Ｓ７）。
【００５０】
図１に示す駆動制御回路１００においては、マイコン１０１が上述のファン判別を行うので、第１コネクタ１０６と、第２コネクタ１０７とのうちの一方に第１ファン１１１を接続し、他方に第２ファン１１２を接続すれば、第１ファン１１１と、第２ファン１１２との駆動制御方法が異なる場合でも、正しい駆動制御を行うことができる。つまり、第１コネクタ１０６に第１ファン１１１を接続し、第２コネクタ１０７に第２ファン１１２を接続した場合にも、第１コネクタ１０６に第２ファン１１２を接続し、第２コネクタ１０７に第１ファン１１１を接続した場合にも、正しい駆動制御を行うことができる。
【００５１】
そのため、図１に記載の駆動制御回路１００の生産にあたっては、第１コネクタ１０６と、第２コネクタ１０７との形状を異なるものとする必要がないので、第１コネクタ１０６を製造する工程と、第２コネクタ１０７を製造する工程とを別々に設ける必要がなく、生産効率が向上する。
【００５２】
また、図１に記載の駆動制御回路１００を有するプロジェクタ装置を手動で組み立てる場合、第１ファン１１１と、第２ファン１１２とのうちの一方を最初に取り付けるときに、第１コネクタ１０６と、第２コネクタ１０７とのうちの取り付けやすい方のコネクタに取り付ければよいので、生産効率が向上する。
【００５３】
なお、本発明は上記の実施形態に限定されず、本発明の趣旨を逸脱しない範囲で種々の変更が可能である。例えば、駆動制御回路１００によって駆動制御されるファンの数は３つ以上であってもよい。
【産業上の利用可能性】
【００５４】
本発明は、複数のファンの駆動制御を行うための駆動制御回路に代表される、複数の負荷の駆動制御を行うための駆動制御回路として有効である。また、本発明は、そのような駆動制御回路を有するプロジェクタ装置として有効である。
【図面の簡単な説明】
【００５５】
【図１】駆動制御回路１００の概略の構成を示すブロック図。
【図２】８０角ファンとブロアファンとを有する従来のプロジェクタ装置における、各ファンの電流電圧特性を示すグラフ。
【図３】マイコン１０１によるファン判別時の制御手順を示すフローチャート。
【図４】駆動制御回路９００の概略の構成を示すブロック図。
【符号の説明】
【００５６】
１００    駆動制御回路
１０６    第１コネクタ
１０７    第２コネクタ
１０８    第１検出部
１０９    第２検出部
１１０    比較部
１１１    第１ファン（負荷）
１１２    第２ファン（負荷）
【図１】
2008076437.tif 000003
【図２】
2008076437.tif 000004
【図３】
2008076437.tif 000005
【図４】
2008076437.tif 000006